(57)【要約】本発明は、個人携帯端末を利用した観光案内システムに関し、特に各商店などの所定の位置に付着され、当該商店についての固有識別コードを含むＩＣチップと、複数のＧＰＳ衛星から信号を受信して現在の位置を表示し、上記ＩＣチップとの近距離無線通信を通して獲得された固有識別コードにマッピングされる当該商店についての細部情報を提供する個人携帯端末とを備えることを特徴とする。【選択図】図３
2010507859.tif 000002
【特許請求の範囲】
【請求項１】
個人携帯端末を利用した観光案内システムであって、
各商店などの所定の位置に付着され、当該商店についての固有識別コードを含むＩＣチップと、
複数のＧＰＳ衛星から信号を受信して現在の位置を表示し、上記ＩＣチップとの近距離無線通信を通して獲得された固有識別コードにマッピングされる当該商店についての細部情報を提供する個人携帯端末と、
を備えることを特徴とする個人携帯端末を利用した観光案内システム。
【請求項２】
上記近距離無線通信は、赤外線（ＩｒＤＡ）、ブルートゥース（登録商標）、無線ＬＡＮ、ＺｉｇＢｅｅ、ＵＷＢ、小出力ＲＦのうちから選択されたいずれか一つであることを特徴とする、請求項１に記載の個人携帯端末を利用した観光案内システム。
【請求項３】
上記個人携帯端末は、上記現在の位置から既設定の半径内に位置した、上記ＩＣチップを付着した商店についての情報を提供することを特徴とする、請求項１に記載の個人携帯端末を利用した観光案内システム。
【請求項４】
上記個人携帯端末は、検索を通して該当検索条件に合う上記ＩＣチップを付着した商店についての情報を提供することを特徴とする、請求項１に記載の個人携帯端末を利用した観光案内システム。
【請求項５】
上記提供された商店から特定の商店を選択する場合、当該商店についての細部情報を既設定の言語で提供することを特徴とする、請求項３又は４に記載の個人携帯端末を利用した観光案内システム。
【請求項６】
上記細部情報は、現在の位置から上記当該商店までの移動経路であることを特徴とする、請求項５に記載の個人携帯端末を利用した観光案内システム。
【請求項７】
上記細部情報は、テキスト、映像、音声のうちから選択されたいずれか一つ以上の情報から構成される、上記当該商店についての詳細情報であることを特徴とする、請求項５に記載の個人携帯端末を利用した観光案内システム。
【請求項８】
上記個人携帯端末が上記ＩＣチップに近接して近距離無線通信が可能である場合、上記個人携帯端末は、上記ＩＣチップから当該商店についての固有識別コードを確認し、当該固有識別コードにマッピングされた商店についての細部情報を自動的に出力することを特徴とする、請求項１に記載の個人携帯端末を利用した観光案内システム。
【請求項９】
個人携帯端末を利用した観光案内装置であって、
複数のＧＰＳ衛星から信号を受信し、現在の位置の座標を確認するＧＰＳ受信部と、
各商店などの所定の位置に付着され、当該商店についての固有識別コードを含むＩＣチップと近距離無線通信を行う近距離無線処理部と、
上記複数のＧＰＳ衛星から信号を受信して現在の位置を地図上に表示し、上記ＩＣチップとの近距離無線通信を通して獲得された固有識別コードにマッピングされる当該商店についての細部情報を提供するように処理する制御部と、
を備えることを特徴とする個人携帯端末を利用した観光案内装置。
【請求項１０】
上記装置は、上記制御部において情報の提供のために実行される応用プログラムと、上記情報の提供のために必要な各種のデータベースを格納する格納部とを更に備えることを特徴とする、請求項９に記載の個人携帯端末を利用した観光案内装置。
【請求項１１】
上記格納部は、各座標に応じて設定される地図情報を表す地図情報データベースを備えることを特徴とする、請求項１０に記載の個人携帯端末を利用した観光案内装置。
【請求項１２】
上記格納部は、上記固有識別コードと、上記固有識別コードに該当する各商店情報とがマッピングされて格納されるコード情報データベースを備えることを特徴とする、請求項１０に記載の個人携帯端末を利用した観光案内装置。
【請求項１３】
上記格納部は、上記ＩＣチップが付着されている、既に登録されている商店についての細部情報を示す商店情報データベースを備えることを特徴とする、請求項１０に記載の個人携帯端末を利用した観光案内装置。
【請求項１４】
上記近距離無線通信は、赤外線（ＩｒＤＡ）、ブルートゥース、無線ＬＡＮ、ＺｉｇＢｅｅ、ＵＷＢ、小出力ＲＦのうちから選択されたいずれか一つであることを特徴とする、請求項９に記載の個人携帯端末を利用した観光案内装置。
【請求項１５】
上記装置は、上記現在の位置から既設定の半径内に位置した、上記ＩＣチップを付着した商店についての情報を提供することを特徴とする、請求項９に記載の個人携帯端末を利用した観光案内装置。
【請求項１６】
上記装置は、検索を通して当該検索条件に合う上記ＩＣチップを付着した商店についての情報を提供することを特徴とする、請求項９に記載の個人携帯端末を利用した観光案内装置。
【請求項１７】
上記提供された商店から特定の商店を選択する場合、当該商店についての細部情報を既設定の言語で提供することを特徴とする、請求項１５又は１６に記載の個人携帯端末を利用した観光案内装置。
【請求項１８】
上記細部情報は、現在の位置から上記当該商店までの移動経路であることを特徴とする、請求項１７に記載の個人携帯端末を利用した観光案内装置。
【請求項１９】
上記細部情報は、テキスト、映像、音声のうちから選択されたいずれか一つ以上の情報から構成される、上記当該商店についての詳細情報であることを特徴とする、請求項１７に記載の個人携帯端末を利用した観光案内装置。
【請求項２０】
上記個人携帯端末が上記ＩＣチップに近接して近距離無線通信が可能である場合、上記装置は、上記ＩＣチップから当該商店についての固有識別コードを確認し、当該固有識別コードにマッピングされた商店についての細部情報を自動的に出力することを特徴とする、請求項９に記載の個人携帯端末を利用した観光案内装置。
【請求項２１】
個人携帯端末を利用した観光案内方法であって、
ＧＰＳ衛星から信号を受信して上記個人携帯端末の現在の位置を追跡し、上記位置の追跡に応じて地図上に現在の位置を表示する段階と、
上記現在の位置から既設定の距離内にＩＣチップが付着されている商店を検索し、上記検索された商店を上記地図上に表示する段階と、
上記個人携帯端末の使用者が位置した位置に登録された商店が近接すると、上記当該商店に付着されたＩＣチップとの近距離無線通信を通してＩＣカ−ドを認識する段階と、
上記認識に応じて上記当該商店の固有コードにマッピングされた商店情報を既設定の言語で出力する段階と、
を含むことを特徴とする個人携帯端末を利用した観光案内方法。
【請求項２２】
上記商店のうちから特定の商店が選択される場合、当該商店までの移動経路を上記地図上に表示することを特徴とする、請求項２１に記載の個人携帯端末を利用した観光案内方法。
【請求項２３】
上記近距離無線通信は、赤外線（ＩｒＤＡ）、ブルートゥース、無線ＬＡＮ、ＺｉｇＢｅｅ、ＵＷＢ、小出力ＲＦのうちから選択されたいずれか一つであることを特徴とする、請求項２１に記載の個人携帯端末を利用した観光案内方法。
【請求項２４】
上記個人携帯端末は、上記現在の位置から既設定の半径内に位置した、上記ＩＣチップを付着した商店についての情報を提供することを特徴とする、請求項２１に記載の個人携帯端末を利用した観光案内方法。
【請求項２５】
上記個人携帯端末は、検索を通して当該検索条件に合う上記ＩＣチップを付着した商店についての情報を提供することを特徴とする、請求項２１に記載の個人携帯端末を利用した観光案内方法。
【請求項２６】
上記商店についての情報は、テキスト、映像、音声のうちから選択されたいずれか一つ以上の情報から構成される、上記当該商店についての詳細情報であることを特徴とする、請求項２１に記載の個人携帯端末を利用した観光案内方法。
【請求項２７】
上記個人携帯端末が上記ＩＣチップに近接して近距離無線通信が可能である場合、上記個人携帯端末は、上記ＩＣチップから当該商店についての固有識別コードを確認し、当該固有識別コードにマッピングされた商店についての細部情報を自動的に出力することを特徴とする、請求項２１に記載の個人携帯端末を利用した観光案内方法。
【発明の詳細な説明】
【技術分野】
【０００１】
本発明は、地理、言語などに慣れていない外国人に、観光案内情報を提供するためのシステム、装置、及び方法に関し、無線通信手段を通して位置情報を提供する端末を利用して観光情報を提供する、個人携帯端末を利用した観光案内システム、装置、及び方法に関する。
【背景技術】
【０００２】
最近では、国家間の活発な交流により、外国人の観光客の数が、増加しているという傾向にある。外国人の観光客の場合、言語問題の不便さがあるので、旅行社から提供されるパッケージ商品を利用するか、又は極めて制限された有名な場所のみを行くようになる。
【０００３】
一般的に、このような外国人を含む旅行者は、行こうと思う地域の情報を得るために、オフライン（Ｏｆｆ‐ｌｉｎｅ）手段として、旅行用冊子を購入するか、又はオンライン（Ｏｎ‐ｌｉｎｅ）手段として、旅行社のホームページや地図サービスのようなウェブサイトを通じて、情報を習得する。
【０００４】
しかし、上記旅行用冊子は、限定された紙面に多くの内容を入れることが不可能であるので、有名な観光地、規模の大きい建物、宿泊施設等の位置情報のみが収録されているという欠点がある。また、上記ウェブサイトを利用する場合には、いくつかの有名な便宜及び娯楽施設についての情報のみを求めることができ、ウェブサイトを通して提供される地図サービスにも、道路情報のみが収録されており、その情報も、イメージファイルの制限などにより、利用者の可読性が落ちる欠点がある。
【０００５】
一方、最近では、各種の情報を伝達する媒体として、コンピュータとインターネットとが、新しいコミュニケーションの必須道具となっており、上述した旅行及び観光情報などは、インターネットを通していくらでも得ることができるようになった。
【０００６】
しかし、上記一般的なウェブサイトなどから提供される観光情報は、個人にカスタマイズされた情報ではなく、サイトに接続した一般人に、共通に提供される情報である。従って、自分の旅行の計画に応じて必要な各種の情報をメモするか、又は特定の情報を出力し、これを所持して旅行すべき不便さがあった。また、現在の位置から探索することができる経路が、明確に提供されていないので、経路の探索のための色々な手段を考えなければならない。
【０００７】
特に、外国人の観光客の場合には、言語が違うので、観光することができる与件(情報)が極めて制限される。従って、現地のガイドがいる、旅行社によるパッケージの商品のみを利用するか、又は現地の知人によってのみ制限的な旅行が可能になる。
【０００８】
従って、外国人も便利に観光し、直接に容易に所望の場所を探すことができる方法が要求されている実情である。
【発明の開示】
【発明が解決しようとする課題】
【０００９】
従って、本発明の目的は、ＧＰＳを通して現在の位置に応じた地図を提供し、上記現在の位置に近接した地域についての観光情報を提供する個人携帯端末を利用した観光案内システム、装置、及び方法を提供することである。
【００１０】
また、本発明の目的は、近距離無線通信を通して隣接した商店に付着されているＩＣチップと通信することにより、当該商店についての情報を提供する個人携帯端末を利用した観光案内システム、装置、及び方法を提供することである。
【００１１】
また、本発明の目的は、ＧＰＳを通して現在の位置に応じた地図を提供し、上記現在の位置に近接した、既に登録されている商店についての位置及び細部情報を提供する個人携帯端末を利用した観光案内システム、装置、及び方法を提供することである。
【課題を解決するための手段】
【００１２】
上記目的を達成するためのシステムは、個人携帯端末を利用した観光案内システムにおいて、各商店などの所定の位置に付着され、当該商店についての固有の識別コードを含むＩＣチップと、複数のＧＰＳ衛星から信号を受信して現在の位置を表示し、上記ＩＣチップとの近距離無線通信を通して獲得された固有の識別コードにマッピングされる当該商店についての細部情報を提供する個人携帯端末とを備えることを特徴とする。
【００１３】
上記目的を達成するための装置は、個人携帯端末を利用した観光案内装置において、複数のＧＰＳ衛星から信号を受信し、現在の位置の座標を確認するＧＰＳ受信部と、各商店などの所定の位置に付着され、当該商店についての固有の識別コードを含むＩＣチップと近距離無線通信を行う近距離無線処理部と、上記複数のＧＰＳ衛星から信号を受信して現在の位置を地図上に表示し、上記ＩＣチップとの近距離無線通信を通して獲得された固有の識別コードにマッピングされる当該商店についての細部情報を提供するように処理する制御部とを備えることを特徴とする。
【００１４】
上記目的を達成するための方法は、個人携帯端末を利用した観光案内方法において、ＧＰＳ衛星から信号を受信して上記個人携帯端末の現在の位置を追跡し、上記位置の追跡に応じて地図上に現在の位置を表示する段階と、上記現在の位置から既設定の距離内においてＩＣチップが付着された商店を検索し、上記検索された商店を上記地図上に表示する段階と、上記個人携帯端末の使用者が位置した位置に登録された商店が近接すると、上記当該商店に付着されたＩＣチップとの近距離無線通信を通してＩＣカードを認識する段階と、上記認識に応じて上記当該商店の固有のコードにマッピングされた商店の情報を既設定の言語で出力する段階とを含むことを特徴とする。
【００１５】
最後に、上記個人携帯端末を利用した観光案内方法は、サーバーコンピュータで読むことができる記録媒体に格納されることができる。このような記録媒体は、コンピュータシステムにより読まれることができるように、プログラム及びデータが格納される全ての種類の記録媒体を含む。その例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ（Ｃｏｍｐａｃｔ  Ｄｉｓｋ）、ＤＶＤ（Ｄｉｇｉｔａｌ  Ｖｉｄｅｏ  Ｄｉｓｋ）‐ＲＯＭ、磁気テープ、フロッピー（登録商標）ディスク、光データ格納装置などがあり、また、キャリアウェーブ（例えば、インターネットを通した伝送）の形態に実現されるものも含まれる。また、このような記録媒体は、ネットワークにより連結されたコンピュータシステムに分散されることにより、分散方式でコンピュータにより読まれるコードを格納し実行することができる。
【発明の効果】
【００１６】
本発明によれば、外国人が海外旅行の時に観光をする場合、当該国家の言語又は地理情報を知らない場合にも、より具体的に効果的な周辺の観光情報又は地理情報を得ることができる。
【００１７】
また、自分が位置した位置の付近の商店を探すのに容易であるだけではなく、当該商店についての情報を、個人携帯端末を通して効果的に提供することができる長所がある。
【図面の簡単な説明】
【００１８】
【図１】本発明に係る個人携帯端末を利用した観光案内システムを示す図面である。
【図２】本発明の実施例に係る個人携帯端末の細部構造を示すブロック図である。
【図３】本発明の実施例に係る観光案内装置の細部構造を示す図面である。
【図４】本発明の実施例に係るＩＣカードから受信されるメッセージの構造を示す図面である。
【図５】本発明の実施例に係る個人携帯端末を利用した観光案内の手続きを示すフローチャートである。
【図６】本発明の実施例に係る個人携帯端末にディスプレイされる画面を示す図面である。
【発明を実施するための最良の形態】
【００１９】
以下、本発明を具体的に説明するために、実施例を挙げて説明し、発明についての理解を助けるために、添付の図面を参照して詳細に説明する。しかし、本発明に係る実施例は、色々な異なる形態に変形されることができ、よって本発明の範囲が、後述される実施例に限定されるものではない。本発明の実施例は、当業界の平均的な知識を有する者に、本発明をより完全に説明するために提供されるものである。
【００２０】
本発明に係ると、外国人のように地理情報に慣れていない人々が観光をする場合、本発明に係る各種の機能を提供する個人携帯端末を通して、現在の位置についての地理情報が自国語で提供され、現在の位置に近接した商店（又は建物）等の細部情報が自国語で提供される。
【００２１】
この時、本発明においては、現在の位置を把握するために、衛星利用測位システム（Ｇｌｏｂａｌ  Ｐｏｓｉｔｉｏｎｉｎｇ  Ｓｙｓｔｅｍ：以下、‘ＧＰＳ’という）が利用され、これにより把握された現在の位置の周辺の詳細な地図が、上記個人携帯端末を通して提供される。
【００２２】
また、上記現在の位置から既設定の距離内に属した建物のうち、詳細な情報が既に登録された商店（又は建物）についての位置を、上記詳細な地図に表示する。一方、上記個人携帯端末の使用者が、上記地図上に表示された商店（又は建物）のうちから特定の商店を選択すると、当該商店について既に格納された細部情報が、既設定の言語で提供されるか、又は上記選択された当該商店についての経路が、上記地図上に提供される。
【００２３】
更に、本発明は、上記既に登録された商店の入口にＩＣチップを付着することにより、上記個人携帯端末との近距離無線通信が可能になるように実現される。これにより、上記個人携帯端末の使用者が、既に登録された特定の商店に近接して特定の距離の以内になると、上記個人携帯端末においては、上記商店に付着されたＩＣチップから既設定の固有情報を受信し、上記受信された固有情報にマッピングされて格納された上記商店についての細部情報を検索し、上記個人携帯端末を通して使用者に提供する。
【００２４】
このようにすることにより、地理及び言語をよく知らない外国人が観光をする場合にも、容易に自分の周辺に位置した商店についての情報を自国の言語で習得することにより、効果的な観光をすることができるようになる。
【００２５】
一方、上記個人携帯端末は、ＰＭＰ（Ｐｏｒｔａｂｌｅ  Ｍｕｌｔｉｍｅｄｉａ  Ｐｌａｙｅｒ）、ＰＤＡ（Ｐｅｒｓｏｎａｌ  Ｄｉｇｉｔａｌ  Ａｓｓｉｓｔａｎｔ）、携帯電話機、ノートパソコンなどのいかなる端末にも、本発明に係る機能を追加することにより実現されることができる。特に、携帯性があり、地図情報、建物の細部情報などのような大容量の情報を格納することができるＰＭＰにより実現されることがより効果的である。
【００２６】
即ち、上述したように、外国人が旅行をしようとする場合、ＧＰＳ受信機能及び近距離無線通信機能を有し、登録された商店についての細部情報が格納された上記個人携帯端末を、一時的に借りて自国語で設定した後、上記個人携帯端末を通して本発明に係るサービスの提供を受けることができる。
【００２７】
本発明の実現のためには、上記個人携帯端末は、ＧＰＳ受信モジュール及び近距離無線通信手段を備えることが好ましい。また、上記ＧＰＳ受信モジュールにより算出された現在の位置を表すための地図データを格納すべきであり、ＩＣチップにより認識されたコードにマッピングされた各建物又は商店についてのテキスト又はイメージなどの細部情報を含むことが好ましい。
【００２８】
以下、まず、図１を参照して、本発明に係るシステムの構成を説明する。
【００２９】
図１は、本発明に係る個人携帯端末を利用した観光案内システムを示す図面である。上記図１を参照すれば、本発明に係るシステムは、ＧＰＳ衛星１００、個人携帯端末１１０、ＩＣチップ１２０などにより構成されることができる。即ち、上記本発明に係る個人携帯端末１１０は、ＧＰＳ衛星１００から信号を受信し、上記受信された信号により、上記個人携帯端末１１０の位置を把握する。この時、上述したように、上記個人携帯端末１１０は、地図データを含み、上記把握された現在の位置を基準とする地図情報をディスプレイする。
【００３０】
また、上記個人携帯端末１１０は、所定の近距離無線通信手段（例えば、赤外線（ＩｒＤＡ）、ブルートゥース（登録商標）、無線ＬＡＮ、ＺｉｇＢｅｅ、ＵＷＢ（ｕｌｔｒａ  ｗｉｄｅｂａｎｄ）、小出力ＲＦなど）を利用して、各商店に備えられたＩＣチップ１２０との近距離無線通信を行う。この時、上記ＩＣチップ１２０は、各商店に対して付与された固有の識別コードを格納し、上記近距離無線通信を通して、上記個人携帯端末１１０は、上記ＩＣチップ１２０に格納された上記固有の識別コードを読出する。即ち、上記個人携帯端末１１０は、上記商店に付着されたＩＣチップ１２０との近距離無線通信が可能な領域内に近接する場合、上記各商店に付着されたＩＣチップ１２０から読出された固有の識別コードにマッピングされて、既格納されている当該商店についての細部情報を、自動的に使用者に提供することができる。
【００３１】
一方、上記個人携帯端末１１０は、上記ＧＰＳ衛星１００により確認された現在の位置から既設定の距離の半径内において、上記ＩＣチップ１２０を備える商店の目録又は位置を提供することができる。これにより、上記個人携帯端末１１０の使用者は、上記提供された商店のうち、特定の商店を選択することにより、当該商店についての細部情報、現在の位置から上記当該商店までの移動経路などの情報の提供を受けることができる。この時、上記各商店についての細部情報としては、上記個人携帯端末１１０の使用者が設定した言語で構成された、当該商店についてのテキスト又はイメージなどの情報である。
【００３２】
即ち、上記個人携帯端末１１０を所持している利用者は、現在の位置情報の提供を受け、当該現在の位置の近所の登録された各商店の細部情報及び位置情報の提供を受け、上記各商店のうち、特定の商店に近接する場合、当該商店についての細部情報を、自分が選択した言語で、上記個人携帯端末１１０を通して受けることができる。
【００３３】
例えば、フランス人が、韓国を訪問してよく知らない地域にいる場合、自分が位置した地域から一番近くて有名なフランスの食べ物の専門店を探すためには、上記個人携帯端末１１０を利用することにより、現在の位置から最小の距離に位置した上記フランスの食べ物の専門店を検索して経路を探して行くか、又は現在の位置に近接し登録された食堂についての情報を確認し、望む飲食店を選択することができる。
【００３４】
また、上記外国人が、上記ＩＣチップ１２０が付着された飲食店を通り過ぎる場合、上記当該飲食店に入らなくても、上記個人携帯端末１１０を通して、当該飲食店についての情報の提供を自国語で受けることができる。これにより、外国人の観光客の言語疎通の問題及び場所探しの問題についての困難を容易に解決することができる。
【００３５】
図２は、本発明の実施例に係る個人携帯端末の細部構造を示すブロック図である。上記図２を参照すれば、本発明の実施例に係る個人携帯端末１１０は、入力部２１０、ＧＰＳ受信部２２０、制御部２３０、近距離無線処理部２４０、格納部２５０、表示部２６０などにより構成されることができる。また、上記格納部２５０は、本発明に係る各種のサービスを提供するために設けられる応用プログラム２５１と、上記サービスの提供のために必要な各種の情報を格納するデータベースとを格納する。例えば、地図情報データベース２５２、コード情報データベース２５３、商店情報データベース２５４などを格納する。
【００３６】
上記入力部２１０は、上記個人携帯端末１１０のプログラムを実行させるか、又は各種の情報を選択又は入力するための手段として用いられ、キーパッド、タッチスクリーンなどにより実現されることができる。また、上記表示部２６０は、ＬＣＤなどにより構成され、本発明に係る地図情報、各商店の情報などをディスプレイする。
【００３７】
上記ＧＰＳ受信部２２０は、ＧＰＳ衛星から信号を受信し、所定の演算により現在の位置を算出する。また、上記近距離無線処理部２４０は、上述したように、各商店などに付着されたＩＣチップと近距離無線通信を行い、上記当該ＩＣチップから商店の固有のコードを受信する。
【００３８】
上記格納部２５０に格納された応用プログラム２５１は、使用者の実行命令により実行され、本発明に係る各種のサービスを提供する。即ち、上記ＧＰＳ受信部２２０から受信された信号から現在の位置を算出し、上記算出された現在の位置の座標値に該当する地図情報を、上記地図情報データベース２５２を通して提供する。また、上記現在の位置から既設定の半径内にある、既に登録された各商店のコード情報を、上記コード情報データベース２５３から読出し、上記地図情報に表示する。この時、上記地図に表示されたコード情報を含む各商店を使用者が選択するか、又は検索により使用者が特定の商店を選択する場合、当該選択された商店のコードにマッピングされて格納された商店の細部情報を、上記商店情報データベース２５４から取り出して出力させる。
【００３９】
一方、各商店に付着されたＩＣチップと通信することにより、上記近距離無線処理部２４０を通して受信された当該商店についての固有の識別コードから、上記コード情報データベース２５３を参照して、当該コード情報にマッピングされた商店情報を上記商店情報データベース２５４から取り出して出力させる。
【００４０】
図３は、本発明の実施例に係る観光案内装置の細部構造を示す図面である。上記図３を参照すれば、本発明に係る各機能が、ハードウェア的な装置により実現されるか、又は上記図２において上述した応用プログラムのようなソフトウェア的なプログラムコードにより実現されることができる。この時、上記実現方法に関係なく、本発明に係る同一の機能を行うことができる。
【００４１】
上記本発明の実施例に係る観光案内装置３００は、位置判断部３１０、位置表示部３２０、コード分析部３３０、商店情報検索部３４０、商店情報出力部３５０などにより構成されることができる。
【００４２】
上記位置判断部３１０は、ＧＰＳの座標値から現在の位置を判断し、上記位置表示部３２０は、上記位置判断部３１０により判断された現在の位置についての地図情報を、上記地図情報データベース２５２から取り出して出力させる。
【００４３】
上記コード分析部３３０は、各商店に付着されたＩＣチップ（又はＩＣカード）からの入力値を分析して、商店の固有のコードを検出し、上記コード情報データベース２５３を参照して、上記検出された商店の固有のコードにマッピングされた実際の商店を確認する。その後、上記商店情報検索部３４０は、上記確認された当該商店についての細部情報を商店情報データベース２５４から読出する。
【００４４】
上記読出された当該商店の細部情報のうち、当該商店の位置情報は、上記位置表示部３２０に伝送されて、上記出力される地図上に表示されることができ、上記商店の細部情報は、商店情報出力部３５０を通して出力されることができる。
【００４５】
図４は、本発明の実施例に係るＩＣカードから受信されるメッセージの構造を示す図面である。上記図４を参照すれば、各商店に付着されたＩＣカード（又はＩＣチップ）から受信されるメッセージは、プリアンブル（ｐｒｅａｍｂｌｅ）４０１、商店固有コード４０２、予備領域４０３、ＣＲＣ４０４などにより構成されることができる。
【００４６】
上記メッセージのプリアンブル領域４０１は、無線により伝送される数多くの無線周波数（Ｒａｄｉｏ  Ｆｒｅｑｕｅｎｃｙ）信号のうち、該当される無線信号を感知するためのヘッダ（Ｈｅａｄｅｒ）の機能を担当する領域であり、上記商店固有コード領域４０２は、当該ＩＣチップが付着された商店を識別するために固有に割り当てられた識別コードを含む。
【００４７】
上記予備領域４０３は、今後に追加されることができる情報のために残して置く予備のデータ領域を示し、上記ＣＲＣ（Ｃｙｃｌｉｃ  Ｒｅｄｕｎｄａｎｃｅ  Ｃｈｅｃｋ）領域４０４は、無線チャンネルを通して伝達される上記メッセージのエラーをチェックするために追加される剰余ビットが格納される領域である。
【００４８】
図５は、本発明の実施例に係る個人携帯端末を利用した観光案内の手続きを示すフローチャートである。上記図５を参照すれば、まず、ＧＰＳにより、個人携帯端末の現在の位置を追跡する（Ｓ５０１）。上記位置の追跡に従って、地図上に現在の位置を表示する（Ｓ５０２）。
【００４９】
その後、本発明に従って、上記現在の位置から既設定の距離内に登録された商店（即ち、ＩＣチップが付着された商店）を検索し（Ｓ５０３）、上記検索された商店を上記地図上に表示する（Ｓ５０４）。
【００５０】
この時、使用者が、上記表示された商店のうちから特定の商店を選択するか、又は検索を通して特定の商店を選択し（Ｓ５０５）、当該商店までの移動経路を上記地図上に表示する（Ｓ５０６）か、又は上記商店についての細部情報を既設定の自国語で提供する（Ｓ５０７）。
【００５１】
もし、上記提供された経路に従って移動して当該商店に近接するか、又は上記個人携帯端末の使用者が位置した位置に登録された商店が近接すると、上記当該商店に付着されたＩＣカード（又はＩＣチップ）との近距離無線通信を通して、ＩＣカードを認識する（Ｓ５０８）。上記認識の結果、エラーが発生せずに正常として認識されると（Ｓ５０９）、受信された商店の固有のコードにマッピングされた商店情報を、既設定の自国語で出力する（Ｓ５１０）。
【００５２】
図６は、本発明の実施例に係る個人携帯端末にディスプレイされる画面を示す図面である。上記図６を参照すれば、個人携帯端末を所持した使用者が位置した位置の情報を確認して、当該位置の付近の詳細な地図６００を提供する。本発明に従って、ＩＣチップが付着されており、既に登録されている特定の商店６０１を選択すると、当該商店６０１までの経路が表示されることができ、当該商店６０１についての細部情報（例えば、商店名６１０、イメージ６１１、検索６１２、細部情報６１３、メニュー６１４など）を更に提供することができる。
【００５３】
また、上記図６に示されていないが、現在の位置に近接した各種の多様な種類の商店を検索して出力させることもでき、本発明に従って特定の商店との近距離無線通信が可能である場合、当該商店についての細部情報が、既設定の自国語で提供されることができる。
【００５４】
一方、本発明の実施例においては、具体的な実施例に関して説明したが、本発明の範囲から逸脱しない限度内において色々な変形が可能であることはもちろんである。したがって、本発明の範囲は、説明された実施例に局限されて決められてはならなく、後述する特許請求の範囲だけでなく、この特許請求の範囲と均等なものなどにより決められなければならない。
【符号の説明】
【００５５】
１００・・・ＧＰＳ衛星、１１０・・・個人携帯端末
１２０・・・ＩＣカード、２１０・・・入力部
２２０・・・ＧＰＳ受信部、２３０・・・制御部
２４０・・・近距離無線処理部、２５０・・・格納部
２６０・・・表示部、２５１・・・応用プログラム
２５２・・・地図情報データベース、２５３・・・コード情報データベース
２５４・・・商店情報データベース、３００・・・観光案内装置
３１０・・・位置判断部、３２０・・・位置表示部
３３０・・・コード分析部、３４０・・・商店情報検索部
３５０・・・商店情報出力部、４０１・・・プリアンブル
４０２・・・商店固有コード、４０３・・・予備領域
４０４・・・ＣＲＣ
【図１】
2010507859.tif 000003
【図２】
2010507859.tif 000004
【図３】
2010507859.tif 000005
【図４】
2010507859.tif 000006
【図５】
2010507859.tif 000007
【図６】
2010507859.tif 000008
【国際調査報告】
2010507859.tif 000009
2010507859.tif 000010